(57)【要約】  本発明は、直立部材の中または上に設置するための支持物を提供し、該支持物は、第１の領域及び第２の領域を含み、第１及び第２の領域は、支持物の屈曲によって区別され、第２の領域は、アイテム取付領域を有する。本支持物は、棚等のアイテムを支持するか、またはそこからアイテムを吊るすために使用されてもよい。本発明の支持物は、直立部材（壁等）にある溝に、または次に直立部材に固定もしくは挿入される受入手段に挿入可能となるように構成される。また、本明細書に記載される支持物と、実質的に直立した部材であって、その中に延在する溝を含む部材と、を含む支持システムが提供され、溝は、部材の中へ傾斜し、溝は、上壁及び下壁を有し、任意で、上壁は、その中に配置される凹所を有する。溝は、部材の中に下方向に傾斜してもよい。
2018507736.tif 000002
【特許請求の範囲】
【請求項１】
直立部材の中または上に設置するための支持物であって、前記支持物は、第１の領域及び第２の領域、を含み、前記第１及び第２の領域は、前記支持物の屈曲によって区別され、前記第１の領域は、凹所係合領域を有し、前記第２の領域は、アイテム取付領域を有する、支持物。
【請求項２】
前記係合領域は、上面を有する、請求項１に記載の支持物。
【請求項３】
前記係合領域は、前記上面から延在する係合部材を有する、請求項２に記載の支持物。
【請求項４】
直立部材上に設置されるとき、前記アイテム取付領域は、下方向に、実質的に垂直方向に延在する、請求項１〜３のいずれか１項に記載の支持物。
【請求項５】
前記アイテム取付領域の少なくとも一部が、実質的に直線状である、請求項１〜４のいずれか１項に記載の支持物。
【請求項６】
直立部材上に設置されるとき、前記アイテム取付領域の前記実質的に直線状の部分は、実質的に垂直である、請求項５に記載の支持物。
【請求項７】
直立部材上に設置されるとき、前記アイテム取付領域は、少なくとも約５ｍｍ、６ｍｍ、７ｍｍ、８ｍｍ、９ｍｍ、１０ｍｍ、１５ｍｍ、２０ｍｍ、２５ｍｍ、３０ｍｍ、３５ｍｍ、４０ｍｍ、４５ｍｍ、５０ｍｍ、５５ｍｍ、６０ｍｍ、６５ｍｍ、７０ｍｍ、７５ｍｍ、８０ｍｍ、８５ｍｍ、９０ｍｍ、９５ｍｍ、または１００ｍｍの距離を下方向に、実質的に垂直方向に延在する、請求項１〜６のいずれか１項に記載の支持物。
【請求項８】
前記距離は、前記アイテム取付領域の前記実質的に直線状の部分に沿って測定される、請求項５に従属する場合の請求項７に記載の支持物。
【請求項９】
前記アイテム取付領域は、前記アイテムの、前記アイテム取付領域との直接的または間接的係合を可能にするように構成される、請求項１〜８のいずれか１項に記載の支持物。
【請求項１０】
前記係合は、吊り係合または支持係合である、請求項９に記載の支持物。
【請求項１１】
前記アイテム取付領域は、前記第１の領域が延在する方向とは略反対の方向に延在する部材であるか、またはそれを含む、請求項１〜１０のいずれか１項に記載の支持物。
【請求項１２】
前記アイテム取付領域は、フック、プロング、突起、バーブ、接着領域、摩擦係合領域、変形、開口、スロット、もしくは凹所であるか、またはそれを含む、請求項１〜１１のいずれか１項に記載の支持物。
【請求項１３】
前記第２の領域及び前記アイテム取付領域は、屈曲によって区別される、請求項１〜１２のいずれか１項に記載の支持物。
【請求項１４】
前記第１及び第２の領域を区別する前記屈曲は、前記第２の領域及び前記アイテム取付領域を区別する前記屈曲とは反対の方向にある、請求項１３に記載の支持物。
【請求項１５】
前記第１及び第２の領域を区別する前記屈曲の角度は、前記第２の領域及び前記アイテム取付領域を区別する前記屈曲の角度より大きい、請求項１４に記載の支持物。
【請求項１６】
前記第１及び第２の領域を区別する前記屈曲の前記角度は、前記第２の領域及び前記アイテム取付領域を区別する前記屈曲の前記角度の少なくとも約２倍である、請求項１５に記載の支持物。
【請求項１７】
請求項１〜１６のいずれか１項に記載の支持物と、
実質的に直立した部材であって、その中に延在する溝を含む部材と、を備え、前記溝は、前記部材の中に下方向に傾斜し、前記溝は、上壁及び下壁を有する、
支持システム。
【請求項１８】
前記上壁は、その中に配置される凹所を有する、請求項１７に記載の支持システム。
【請求項１９】
前記直立部材の前記溝及び前記支持物は、前記支持物の前記凹所係合領域が前記溝に挿入可能となるように構成され、前記溝に挿入されるとき、前記支持物は、前記凹所係合領域が前記溝の前記凹所の中に移動可能となるように、前記溝の枢動点で枢動可能であり、それによって、前記溝と支持物とを一緒に固定する、請求項１７または請求項１８に記載の支持システム。
【請求項２０】
前記溝の前記枢動点は、前記溝の開放端にある前記溝の前記下壁の縁部である、請求項１７または請求項１８に記載の支持システム。
【請求項２１】
前記支持物は、前記支持物の前記アイテム取付領域上にかかる下方向の力に応じて枢動する、請求項１７〜２０のいずれか１項に記載の支持システム。
【請求項２２】
前記凹所は、前記溝の盲端に、またはその近くに配置される、請求項１７〜２１のいずれか１項に記載の支持システム。
【請求項２３】
前記溝は、前記直立部材とは別個に形成され、前記直立部材に適合されるか、または組み込まれる、請求項１７〜２２のいずれか１項に記載の支持システム。
【請求項２４】
前記直立部材は、パネル、または板もしくは壁である、請求項１７〜２３のいずれか１項に記載の支持システム。
【請求項２５】
支持物を直立部材に挿入する方法であって、
請求項１〜１６のいずれか１項に記載の支持物を提供するステップと、
前記支持物を、請求項１７〜２４のいずれか１項に記載の実質的に直立した部材に挿入するステップと、
を含む、方法。
【発明の詳細な説明】
【技術分野】
【０００１】
本発明は、壁からアイテムを吊るす際に有用な種類の、フック等の、壁に設置可能な支持物の分野に関連する。
【背景技術】
【０００２】
先行技術は、多くの種類の、壁等の直立面に取り付け可能な支持物を提供する。そのような支持物は、衣服、ハードウェア、芸術作品、及び同類のもの等の様々なアイテムをそこから吊るすために使用されてもよい。他の先行技術の実施形態では、支持物は、棚等の大きいアイテムを壁に設置するために使用される。
【０００３】
多くの先行技術の支持手段は、壁に固定するための、くぎ、ねじ、石材アンカー及び同類のもの等の締結具の使用に依存する。問題は、これらの種類の支持物が、容易に再配置することができないということである。締結具が最初に取り外されなければならず（しばしば、壁にダメージを残し、それによって修理を必要とする）、その後、フックを所望の新しい位置に再度設置する際にさらなる作業が費やされる。
【０００４】
他の種類のフックは、ダメージを与えることなく壁から取り外すことができる取り外し可能な接着剤を使用する。この種類のフックの例は、Ｃｏｍｍａｎｄ（商標）システム（３Ｍ  Ｃｏｍｐａｎｙ、ミネソタ州）で提供される。このフックの種類の問題点は、接着剤が壁から外れる前に、非常に限られた負荷しか支持することができないということである。さらに、取替用の接着剤が、フックを新しい所望の位置に再設置するために必要とされる。
【０００５】
いくつかの種類の支持手段に関して、予想外の脱落が最小限に抑えられることが重要である。脱落は、支持手段によって支持される任意のアイテムが、地面に落ちてダメージを受けることを引き起こし得る。さらに、近くにいる人に、落下するアイテムがぶつかり、負傷を与え得る。棚は特に、予想外に外れる傾向がある。例えば、小売業環境において、一連の棚が、在庫品を展示するために壁に設置され得る。下の棚に商品を置く従業員は、屈んだ姿勢から直立の姿勢へ動き、その過程において、彼／彼女の肩で上の棚の下面にぶつかる場合があり、それによって棚が外れる。棚自体が従業員の上に落下する場合があり、また実際、棚に保持されている何らかの重いまたは鋭利な刃の付いた商品が落下して、重篤な怪我を従業員に負わせる可能性がある。容易に再配置可能であるという利点を有する棚の支持物はまた、予想外に外れることが起こり得る容易性のために安全ではないという欠点に見舞われることが多い。
【０００６】
改善された壁に設置可能な支持物、または単に先行技術の支持物の代替品を提供することによって、先行技術の問題を克服するか、または軽減することが、本発明の一態様である。文書、行為、材料、装置、物品、及び同類のものの議論は、本発明の内容を提供するためだけに本明細書に含まれる。これらの事柄のいずれか、またはすべては、本出願の各仮請求項の優先権主張日の前に存在していたため、それが先行技術基準の一部を形成したか、または本発明に関連する分野の共通一般知識であるということを提案または示すものではない。
【発明の概要】
【０００７】
第１の態様では、必ずしも最も広い態様ではないが、本発明は、直立部材の中または上に設置するための支持物を提供し、該支持物は、第１の領域及び第２の領域を含み、第１及び第２の領域は、支持物の屈曲によって区別され、第１の領域は、凹所係合領域を有し、第２の領域は、アイテム取付領域を有する。              
【０００８】
一実施形態では、係合領域は、上面を有する。
【０００９】
一実施形態は、係合領域は、上面から延在する係合部材を有する。
【００１０】
一実施形態では、直立部材上に設置されるとき、アイテム取付領域は、下方向に、実質的に垂直方向に延在する。
【００１１】
一実施形態では、アイテム取付領域の少なくとも一部は、実質的に直線状である。
【００１２】
一実施形態では、直立部材上に設置されるとき、アイテム取付領域の実質的に直線状の部分は、実質的に垂直である。
【００１３】
一実施形態では、直立部材上に設置されるとき、アイテム取付領域は、少なくとも約５ｍｍ、６ｍｍ、７ｍｍ、８ｍｍ、９ｍｍ、１０ｍｍ、１５ｍｍ、２０ｍｍ、２５ｍｍ、３０ｍｍ、３５ｍｍ、４０ｍｍ、４５ｍｍ、５０ｍｍ、５５ｍｍ、６０ｍｍ、６５ｍｍ、７０ｍｍ、７５ｍｍ、８０ｍｍ、８５ｍｍ、９０ｍｍ、９５ｍｍ、または１００ｍｍの距離を下方向に、実質的に垂直方向に延在する。距離は、アイテム取付領域の実質的に直線状の部分に沿って測定されてもよい。
【００１４】
一実施形態では、アイテム取付領域は、アイテムの、アイテム取付領域との直接的または間接的係合を可能にするように構成される。
【００１５】
一実施形態では、係合は、吊り係合または支持係合である。
【００１６】
一実施形態では、アイテム取付領域は、第１の領域が延在する方向とは略反対の方向に延在する部材であるか、またはそれを含む。
【００１７】
一実施形態では、アイテム取付領域は、フック、プロング、突起、バーブ、接着領域、摩擦係合領域、変形、開口、スロット、もしくは凹所であるか、またはそれを含む。
【００１８】
一実施形態では、第２の領域及びアイテム取付領域は、屈曲によって区別される。
【００１９】
一実施形態では、第１及び第２の領域を区別する屈曲は、第２の領域及びアイテム取付領域を区別する屈曲とは反対の方向にある。
【００２０】
一実施形態では、第１及び第２の領域を区別する屈曲の角度は、第２の領域及びアイテム取付領域を区別する屈曲の角度より大きい。
【００２１】
一実施形態では、第１及び第２の領域を区別する屈曲の角度は、第２の領域及びアイテム取付領域を区別する屈曲の角度の少なくとも約２倍である。
【００２２】
第２の態様では、本発明は、本明細書に記載される支持物と、実質的に直立した部材であって、その中に延在する溝を含む部材と、を含む支持システムを提供し、溝は、部材の中に下方向に傾斜し、溝は、上壁及び下壁を有する。
【００２３】
第２の態様の一実施形態では、上壁は、その中に配置される凹所を有する。
【００２４】
第２の態様の一実施形態では、直立部材の溝及び支持物は、支持物の凹所係合領域が溝に挿入可能となるように構成され、溝に挿入されるとき、支持物は、凹所係合領域が溝の凹所の中に移動可能となるように、溝の枢動点で枢動可能であり、それによって、溝と支持物とを一緒に固定する。
【００２５】
第２の態様の一実施形態では、溝の枢動点は、溝の開放端にある溝の下壁の縁部である。
【００２６】
第２の態様の一実施形態では、支持物は、支持物のアイテム取付領域上にかかる下方向の力に応じて枢動する。
【００２７】
第２の態様の一実施形態では、凹所は、溝の盲端に、またはその近くに配置される。
【００２８】
第２の態様の一実施形態では、溝は、直立部材とは別個に形成され、直立部材に適合されるか、または組み込まれる。
【００２９】
第２の態様の一実施形態では、直立部材は、パネル、または板もしくは壁である。
【００３０】
第３の態様では、本発明は、支持物を直立部材に挿入する方法を提供し、該方法は、本明細書に記載される支持物を提供するステップと、支持物を本明細書に記載される実質的に直立した部材に挿入するステップと、を含む。
【図面の簡単な説明】
【００３１】
直線の測定値は、ミリメートル単位である。
【００３２】
【図１Ａ】本発明の好ましい支持物の断面図である。支持物は、アイテムをその上に吊るすために壁に設置されたフックを提供するための適切な溝を有する壁等の直立部材に挿入されてもよい。
【図１Ｂ】図１に示される支持物の丸で囲まれた部分のより詳細な図である。
【図２】壁にある溝へ挿入された場合の図１の支持物の断面図である。
【図３Ａ】本発明の別の好ましい支持物の断面図である。この支持物は、（ｉ）第１の領域の上面上の係合部材がないことと、（ｉｉ）フック様構造がないことを除いて、図１Ａ及び１Ｂに示されるものと同様である。
【図３Ｂ】図１に示される支持物の丸で囲まれた部分のより詳細な図である。
【図３Ｃ】図３Ａの支持物の斜視図である。
【図３Ｄ】図３Ｃの支持物の正面図であり、２０と印される面に対する図である。
【図４】壁にある溝に挿入された場合の図３の支持物の断面図である。
【図５Ａ】外向きに延在する部材を受けるように構成される支持物の断面図であり、支持物は、溝に挿入されている。
【図５Ｂ】図５Ａに示される支持物／溝の図示正面図である。
【図５Ｃ】図５Ａに示される支持物／溝の図示斜視図である。
【図５Ｄ】図５Ａに示される支持物／溝の丸で囲まれた部分のより詳細な図である。直線の測定値は、ミリメートル単位である。
【図６Ａ】図５Ａに示される、支持物の、支持物の溝／溝からの取り外しにおける逐次段階を示す図示側面図である。
【図６Ｂ】図５Ａに示される、支持物の、支持物の溝／溝からの取り外しにおける逐次段階を示す図示側面図である。
【図６Ｃ】図５Ａに示される、支持物の、支持物の溝／溝からの取り外しにおける逐次段階を示す図示側面図である。
【図７Ａ】図５Ａに示される支持物の透視図であり、そこから延在する棚支持物を有する。
【図７Ｂ】図５Ａに示されるものと同様の支持物の透視図であり、そこから延在する棒を有する。
【発明を実施するための形態】
【００３３】
本説明を考慮した後、どのように本発明が様々な代替の実施形態及び代替の用途で実施されるかが当業者には明らかとなろう。しかしながら、本発明の様々な実施形態が本明細書に記載されるが、これらの実施形態は、限定ではなく、例示のためだけに提示されると理解すべきである。したがって、様々な代替の実施形態の本説明は、本発明の範囲または広さを限定するものと解釈されるべきではない。さらに、利益または他の態様の記述は、特定の例示的な実施形態に当てはまるものであり、必ずしも特許請求の範囲によって網羅されるすべての実施形態に当てはまるわけではない。
【００３４】
本明細書の説明及び特許請求の範囲を通して、「含む」という用語、ならびに「含んでいる」及び「含む」等の用語の変形は、他の付加物、構成要素、整数、またはステップを除外することを意図しない。
【００３５】
本明細書を通して参照して、「一実施形態」または「実施形態」は、実施形態に関連して記載される特定の特長、構造、または特徴が、本発明の少なくとも１つの実施形態に含まれることを意味する。したがって、本明細書を通した様々なところにおける「一実施形態では」または「実施形態では」という表現の出現は、必ずしもすべて同じ実施形態を指しているわけではないが、その場合もある。
【００３６】
第１の態様では、本発明は、直立部材の中または上に設置するための支持物を提供し、該支持物は、第１の領域及び第２の領域を含み、第１及び第２の領域は、支持物の屈曲によって区別され、第２の領域は、アイテム取付領域を有する。
【００３７】
本明細書で使用される場合、本発明の物品を説明するために使用される「支持物」という用語は、アイテムがそこから掛けられるか、またはそれによって支持され得る仕掛けを意味する。「支持物」という用語は、アイテムをそこから吊るすことだけが可能な仕掛けを除くための限定的な方法で読み取られることを意図しない。
【００３８】
本発明の支持物は、直立部材（壁等）にある溝の中に、または次に直立部材に固定されるか、もしくは挿入される受入手段に挿入可能となるように構成される。
【００３９】
支持物は、第１及び第２の領域を含み、溝に挿入されるとき、第１の領域は、溝内に配置され、第２の領域は、溝の外側に残る。第１の領域は、ある意味で溝と係合するように構成されるが、第２の領域は（直接的にか、または間接的にのいずれか）、アイテムがそこから掛けられるか、またはそれによって支持される手段として機能を果たすように構成される。
【００４０】
壁に配置された適切な溝に挿入されるとき、（例えば）溝の外部にある支持物のいかなる部分も、アイテムを吊るすか、または支持するために使用されてもよい。特に、通常、壁から支持されるか、または掛けられる家庭用アイテム（屋内または屋外のいずれか）は、本発明の本支持物で掛けられるか、または支持され得る。
【００４１】
支持物は、少なくとも１００ｇ、２００ｇ、３００ｇ、４００ｇ、５００ｇ、６００ｇ、７００ｇ、８００ｇ、９００ｇ、１ｋｇ、１．５ｋｇ、２ｋｇ、２．５ｋｇ、３ｋｇ、３．５ｋｇ、４ｋｇ、４．５ｋｇ、５ｋｇ、６ｋｇ、７ｋｇ、８ｋｇ、９ｋｇ、１０ｋｇ、１５ｋｇ、２０ｋｇ、２５ｋｇ、３０ｋｇ、３５ｋｇ、４０ｋｇ、または５０ｋｇの重量のアイテムを支持するように構成されてもよい。
【００４２】
支持物は、ローリング、成形、鋳造、鍛造、鋳型、または任意のそのような適切な手段によって、金属（鉄、及びアルミニウム、黄銅、または白銅等の非鉄材料を含む）等の任意の適切に変形耐性のある材料、または高密度ポリエチレンもしくはポリプロピレン等の適切なプラスチックから製作されてもよい。
【００４３】
支持物は、構成において比較的広くてもよいか（図３Ｃ及び３Ｄに示される）、または他の実施形態では、より狭くてもよい。より広い構成は、負荷を支持物全体に分散することが可能であり、したがって、掛けられるか、または支持されるアイテムの重量が比較的高い用途により適切であると理解すべきである。
【００４４】
支持物の幅は、少なくとも約１ｃｍ、２ｃｍ、３ｃｍ、４ｃｍ、５ｃｍ、６ｃｍ、７ｃｍ、８ｃｍ、９ｃｍ、１０ｃｍ、１１ｃｍ、１２ｃｍ、１３ｃｍ、１４ｃｍ、１５ｃｍ、１６ｃｍ、１７ｃｍ、１８ｃｍ、１９ｃｍ、もしくは２０ｃｍ、またはそれ未満であってもよい。
【００４５】
いくつかの実施形態では、支持物は、その厚さと同じだけ広く、そのような実施形態は、典型的に１ｋｇ未満の比較的軽量なアイテムを吊るすか、または支持するために有用である。
【００４６】
当然のことながら、支持物は、２つ以上の支持物が単一アイテムを支持するか、または吊るすために使用されるとき、部分的な負荷を支えるように構成されてもよい。
【００４７】
支持物は、第１の領域上に上面を有してもよい。上面は、実質的には平面であってもよいが、いくつかの実施形態では、湾曲している。いくつかの実施形態では、上面（または少なくともその一部）は、溝内の支持物の動作を防止または制限するように、それが挿入される溝へ機能的に係合し、それによって、支持物が溝から引き抜かれることを防止する。
【００４８】
係合部材は、上面から延在してもよい。存在する場合、係合部材の機能は、支持物が挿入される直立部材（壁等）内に形成される溝にある凹所内に挿入し、留まることである。係合部材は、典型的に、第１の領域から延在する突起であるが、単に、第１の領域の変形であってもよい。
【００４９】
いくつかの実施形態では、係合部材は、末端領域を形成するために第１の領域における屈曲によって形成されてもよい（図３〜７に示される例示的な実施形態）。そのような実施形態では、末端領域の終端は、図６に示される通り、溝の壁凹所の外への末端領域の回転を容易にするように、湾曲した側面を有してもよい。
【００５０】
第２の領域の機能は、アイテム取付領域としての機能を果たすことか、またはアイテム取付領域に取付具を提供することである。例えば、第２の領域は、実質的に細長く、フック形の端部であってもよく、それによって、それ自体がアイテム取付領域の役割を果たす。代替として、第２の領域は、アイテムを取り付けるための固有の手段を有してもよく、別のフック、プロング、バーブ、クリップ、またはアイテムを取り付けるための任意の他の手段のための取付点として使用されてもよい。
【００５１】
直立部材に設置されるとき、アイテム取付領域は、下方向に、実質的に垂直方向に延在してもよい。このような方法では、アイテムによってかけられる支持物への負荷は、第１の領域より下で置かれる。距離は、少なくとも約５ｍｍ、６ｍｍ、７ｍｍ、８ｍｍ、９ｍｍ、１０ｍｍ、１５ｍｍ、２０ｍｍ、２５ｍｍ、３０ｍｍ、３５ｍｍ、４０ｍｍ、４５ｍｍ、５０ｍｍ、５５ｍｍ、６０ｍｍ、６５ｍｍ、７０ｍｍ、７５ｍｍ、８０ｍｍ、８５ｍｍ、９０ｍｍ、９５ｍｍ、または１００ｍｍであってもよい。
【００５２】
アイテム取付領域は、少なくとも、アイテムを取り付けるか、または別のアイテム取付手段（フック等）を取り付けるために十分な部分を提供する距離を下方向に延在してもよい。
【００５３】
好ましくは、アイテム取付領域は、実質的に直線状であり、直立部材の表面に沿って下方向に延在してもよい。このような方法では、アイテム取付領域は、直立部材の表面に寄り掛かってもよいか、または代替として、その長さで直立部材の表面から同距離の所に配置されてもよい。
【００５４】
第１及び第２の領域は、屈曲によって区別されてもよく、屈曲は、典型的に、浅いＶ字型を形成するように下向きである。屈曲は、通常、支持物が挿入される溝の下壁に対して位置するように、位置付けられるか、またはそうでなければ構成される。いくつかの実施形態では、屈曲は、枢動としての機能を果たし、支持物が、溝内に配置されるとき、わずかに揺動することができるようにする。このわずかな揺動運動は、アイテム取付領域上に置かれる下方向の負荷に反応する第１の領域の上方向への動作を可能にする。上方向の動作は、（ｉ）第１の領域の上面を溝の上壁に摩擦係合させ、及び／または（ｉｉ）係合部材（存在する場合）を溝の上壁にある凹所へと移動させる。
【００５５】
一実施形態では、支持物は、第２の領域及びアイテム取付領域を区別する第２の屈曲を含む。典型的には、第１及び第２の領域を区別する屈曲は、第２の領域及びアイテム取付領域を区別する屈曲とは反対方向にある。この第２の屈曲は、いくつかの実施形態において必要とされ、アイテム取付領域が第１の領域の下へ延在できるようにし、それによって、いかなる負荷も、第１及び第２の領域の間にある屈曲の下でかけられることができる。
【００５６】
さらなる態様では、本発明は、本明細書に記載される支持物と、実質的に直立した部材であって、その中に延在する溝を含む部材と、を含む支持システムを提供し、溝は、部材の中へ傾斜し、溝は、上壁及び下壁を有し、任意で、上壁は、その中に配置される凹所を有する。一実施形態では、溝は、部材の中に下方向に傾斜する。
【００５７】
一実施形態では、上及び下壁は、実質的に平面であるか、または実質的に平面である領域を有する。そのような領域は、互いに実質的に平行してもよい。溝の上壁が凹所を有する場合、凹所は、溝の盲端にあるか、または近くにあってもよい。
【００５８】
一実施形態では、溝の開放端にある下壁は、その中に配置される支持物が枢動できるように、枢動点を形成するように構成される。
【００５９】
溝は、直立部材と一体的に形成されてもよいが、しかしながら、より典型的には、溝は、受入手段が直立部材に適合して（及び、好ましくは、それに挿入され）、受入手段の形で製作される。直立部材に挿入されるとき、溝の開口は、直立部材の表面に存在する。
【００６０】
溝は、通常、挿入されるときに支持物を支持するための堅い安定した基盤を提供するように、変形耐性のある材料から製作される。溝は、上述の通りに支持物に関して同じか、または同様の材料から製作されてもよい。
【００６１】
直立部材は、パネル、または板もしくは壁、またはアイテムが支持されるか、または掛けられ得る任意の他の構造であってもよい。
【００６２】
ここで、図１Ａを見ると、直立部材の垂直面（図示せず）に存在する溝（図示せず）に挿入されるように構成される支持物１０が示される。支持物１０は、圧延金属から製作され、第１の領域１２と、第２の領域１４とを含み、２つの領域は、屈曲１６によって区切られている。第１の領域１０は、上面上に係合部材１８を含む。支持物１０は、さらに、この実施形態では、垂直に下方向に延在する部材２０であるアイテム取付領域を含み、それは、外方向に延在するフック終端２２を形成するために上方向に屈曲している。そのように形成されたフックは、壁に掛けられるアイテムを受けることが可能であることに留意すべきである。位置付けのために、壁２４の外面が示される。下方向に延在する部材２０は、ある程度の距離を垂直に壁表面２４に平行して向かうことに留意すべきである。
【００６３】
図１Ｂは、第１の領域１２及び第２の領域１４、ならびに係合部材１８のさらなる詳細を示す。また、係合部材１８に隣接する平面領域２６が、より明確に示される。
【００６４】
図１Ｂの支持物上に重ねられた寸法（センチメートル）及び角度は、例示のみであり、いずれの方法でも制限的であると解釈されるべきである。これらの例示的な寸法及び角度は、上記に列挙される寸法及び角度を有する、約１８ｍｍの厚さの板での使用のために構成される受入手段に適合させた挿入物に対して有用である。当然のことながら、異なる厚さの板が使用されてもよく、挿入物に関して上記に列挙される寸法及び／または角度は、変更されてもよい。
【００６５】
他の実施形態では、寸法または角度は、図１Ｂに提示される値の約１％、２％、３％、４％、５％、６％、７％、８％、９％、１０％、１５％、２０％、２５％、３０％、３５％、４０％、４５％、５０％、６０％、７０％、８０％、９０％、または１００％の範囲（プラスマイナス）にあってもよい。
【００６６】
図２を見ると、溝３２を有する受入手段３０に挿入された図１の支持物１０が示される。受入手段３０は、支持物に固定点を提供するために壁２４に挿入されて示される。受入手段は、上壁３４及び下壁３６を有する溝３２を有する。溝３２の盲端には、上壁３４に配置された凹所３８がある。
【００６７】
受入手段３０は、溝３２の下壁３６の縁部に枢動点３９を提供する。枢動点３９の機能は、溝３２に挿入される支持物のほんのわずかな揺動を可能にすることである。
【００６８】
受入手段３０は、溝１２の後壁３７の形で隣接点を提供する。３７にある隣接点の機能は、支持物１０が点３９上で枢動するとき、係合手段が凹所３８に移動されるように、係合手段１８が、凹所３８のすぐ下に配置されることを確実にすることである。
【００６９】
当然のことながら、係合手段は、支持物１０の終端になくてもよく、第１の領域の上面上のいかなる点に位置してもよい。しかしながら、それが終端に配置されるとき、より大きい上方向の力が係合部材にかかり、これは、挿入のより確かな保持力を提供する。
【００７０】
受入手段３０は、それが典型的に使用される位置付けで示される。
【００７１】
当然のことながら、受入手段３０の様々な構成要素の寸法及び角度は、支持物１０の様々な相互作用する構成要素の寸法及び角度によって左右される。
【００７２】
図３を見ると、第１の領域の上面上に係合手段を有さない支持手段の代替の実施形態が示される。支持手段１０のこの実施形態は、第１の領域１２に限ると、図１の実施形態と同様の配置を含み、区切る屈曲１６を有する第２の領域１４が提供される。さらに、図１の実施形態と同じ構造のものと同じ機能を有し、アイテム取付手段となる、下方向に延在する部材２０が含まれる。
【００７３】
図３の実施形態では、部材２０は、フック構造を形成しない。代わりに、部材は、フック、接着剤、または同様のものが取り付けられてもよい部分を提供する。代替として、部材２０は、例えば、布製アイテムを吊るすことが可能な切込みを有するように変更されてもよい。
【００７４】
図３の実施形態は、係合部材を含まず、その結果、それが中に挿入する溝は、係合部材を受け入れるための凹所を含むか、または含まなくてもよい。
【００７５】
図４は、溝３２に挿入された図３の支持手段を示す。この実施形態の溝は、凹所３８を有し、それは、支持物１０の終端を収容する。支持物１０の第１の領域の上面は、凹所３８及び上溝壁３４によって形成される角４０に対して位置する。この実施形態では、支持物及び／または溝は、枢動点３９上の支持手段１０のわずかな揺動運動を可能にするように構成される。いずれにしろ、支持物は、以下のうちの１つまたは両方によって適所に保持される。
（ｉ）支持物から掛けられるか、またはそれによって支持されるアイテムの重量であって、次に、角４０に対して位置するように支持物の第１の領域の上面の上方向の動作を引き起こす（第１の領域の上方向の動作は、受入手段の点３９上での支持物の枢動運動の結果である）、重量、
（ｉｉ）支持物から掛けられるか、またはそれによって支持されるアイテムの重量であって、次に、支持物を、受入手段の点３９上で挿入物の鈍角上に下方向に位置させる、重量。
【００７６】
当然のことながら、アイテムによって支持物に置かれる負荷が大きいほど、支持物の第１の領域１２にかかるより大きい上方向の力をもたらし、次に、（ｉ）溝３６から引き抜かれる挿入物１０に対する抵抗をさらに増加させるための凹所３８に対する係合部材１８の増強、または（ｉｉ）角４０に対する支持物の第１の領域１２の上面の増強をもたらす。
【００７７】
図３Ｂの支持物上に重ねられた角度は、例示のみであり、いずれの方法でも制限的であると解釈されるべきである。角度は、図３Ｂに提示される値の約１％、２％、３％、４％、５％、６％、７％、８％、９％、１０％、１５％、２０％、２５％、３０％、３５％、４０％、４５％、５０％、６０％、７０％、８０％、９０％、または１００％の範囲（プラスマイナス）にあってもよい。
【００７８】
図中、支持物１０は、それが使用されることを意図する、すなわち、壁または他の直立部材に配置される受入手段に挿入されるときの位置付けで示される。この位置付けでは、第１の領域１２は、受入手段によって提示される溝の末端領域の中に上方向で延在し、第２の領域１４は、直立部材の垂直面に向かって延在し、第２の領域の下面は、壁と鋭角を成す。
【００７９】
支持物１０は、典型的に、ある点までしか溝に挿入できないように構成される。これは、溝縁部と衝突するように位置付けられる、支持物から延在する停止部材の使用によって得られてもよい。代替として、支持物は、溝３２の端壁３７によって停止されるように構成される。
【００８０】
アイテム取付領域は、支持物が挿入される直立部材に対して実質的に９０度で延在するように構成されてもよい。この実施形態では、水平な棚（例えば）は、アイテム取付領域に取り付けられてもよく、それによって、直立部材に水平に適所に保持される。そのような実施形態では、棚は、２つ以上の支持物によって支持されてもよい。保持手段は、直立部材に水平にわたって、棚の長さに及んでもよい。保持手段は、したがって、相当長いものであり得、直立部材に水平にわたって及ぶ溝を提供するように、直立部材につけられた細長い凹所の中に縦方向に押し込まれてもよい。このような方法では、支持物は、直立部材にわたるいかなる点においても挿入され得る。
【００８１】
アイテム取付領域は、いくつかの実施形態において、上方向に延在するように構成されてもよい（すなわち、図２、４、及び５に示されるものとは略反対の方向に）。
【００８２】
いくつかの実施形態では、アイテム取付領域は、外向きに延在する部材を支えるように構成される。部材は、支持物が係合される直立部材（壁）を基準に外向きに延在する。部材が細長い場合、部材の縦軸は、壁に対して直角か、またはそれに対してある角を成して延在してもよい。
【００８３】
外向きに延在する部材が、アイテム取付領域と一体的に形成されてもよいが、製造の容易性のために、少なくともアイテム取付領域は、図５Ａ〜５Ｄに示されるように、外向きに延在する部材を受けるように構成されてもよい。その例示的な実施形態では、アイテム取付領域の外向きの表面は、隆起部分５０の中に形成され、スロット５２がその中に形成されている。当然のことながら、スロットは、任意の開口、くぼみ、または部材の取り付けを容易にすることが可能な他の手段であってもよい。隆起性質は、部材の一部が支持物へ延在できるようにし、その一部分が下層の壁に接触することを防止する。支持物に延在する一部分は、外向きに延在する部材の、支持物への取り付けを容易にする。例えば、一部分は、支持物のアイテム取付部分の背面上に溶接されてもよい。
【００８４】
ここで、図５Ａの支持物の、溝からの取り外しを連続して示す図６Ａ〜６Ｃを参照する。支持物の取り外しは、支持物の末端部（係合手段）を溝の上壁にある凹所から後退させるように、最初に支持物を回転させて壁から離すことによってのみ可能であることに留意すべきである。次に、凹所が空になると、下方向に延在する溝によって表される経路に沿って支持物を上方向及び外方向に引っ張ることによって、取り外しが達成される。支持物を取り外すために支持物を正確に、連続して操作することの必要性は、人が支持物（それに取り付けられたいかなるアイテムをも）を叩き、予想外に溝から外れる可能性を著しく低下させる。例えば、支持物を使用して、壁からの棚を取り付ける場合、下から棚を叩く人が、完全な取り外しを達成するために必要な、支持物の必要な回転及び支持物の必要な上方向及び外方向の動作をもたらす可能性は極めて低い。
【００８５】
図７Ａは、図５Ａの支持物を示し、棚支持物部材５４が、隆起部分５０に形成されたスロット（図示せず）に溶接されている。
【００８６】
図７Ｂは、図７Ａの実施形態に対する変形を示す。円形断面の開口（図示せず）は、隆起部分５０に形成され、開口は、棒５６を受ける大きさである。棒５６は、例えば、そこから衣服またはハンガーを吊るすために使用されてもよい。
【００８７】
アイテム取付領域が延在する方向に関わらず、その上に配置されたアイテムによって提供される下方向の力は、それでもなお、支持物と溝との間に係合を提供するように、溝内での支持物のわずかな揺動運動を引き起こす。
【００８８】
さらに、受入手段の傾斜した外面（すなわち、上及び下溝壁に隣接した面）は、顕著な負荷が重いアイテムによってかかる場合、受入手段が直立部材から引き抜かれることを防止するように、くさび状の配置を形成する。
【００８９】
任意の既存の直立部材に挿入される個別の受入手段を対象とする本発明の実施形態は、好ましいというだけであることを理解すべきである。他の受入手段は、直立部材の該表面に取り付けられるか、または実際に、直立部材と一体的に形成されてもよい。
【００９０】
受入物または支持物の実際の材料、寸法、及び角度は、本発明の実際の適用によって変更可能であってもよいと理解すべきである。例えば、本発明が、かなりの重量を支えるように設計されたシステムに関する場合、より大きな強度の材料が使用されてもよいか、または受入手段の全体的な寸法を必要に応じて増加してもよい。そのような変更は、所定の手段のみを使用する当業者の能力の範囲内である。
【００９１】
当然のことながら、本発明の例示的な実施形態の説明において、本発明の様々な特長は、しばしば、開示の合理化、及び様々な発明の態様のうちの１つ以上を理解することを助ける目的で、単一の実施形態、図、またはその説明にグループ化される。開示の本方法は、しかしながら、特許請求の範囲に係る発明が各請求項に明確に列挙される以上の特長を必要とするという意図を反映していると解釈されるものではない。むしろ、以下の特許請求の範囲が反映するため、発明の態様は、単一の上述する開示された実施形態のすべての特長に満たない。
【００９２】
さらに、本明細書に記載されるいくつかの実施形態は、他の実施形態に含まれる他の特長ではない、いくつかの特長を含むが、異なる実施形態の特長の組み合わせは、本発明の範囲内であり、当業者によって理解されるであろう異なる実施形態を形成することを意味する。例えば、以下の特許請求の範囲において、特許請求の範囲に係る実施形態のいずれも、任意の組み合わせで使用されることができる。
【００９３】
本明細書に提供される説明において、非常に多くの具体的詳細が示される。しかしながら、本発明の実施形態は、これらの具体的詳細なしで実施されてもよいと理解すべきである。他の例では、周知の方法、構造、及び技術は、本説明の理解を曖昧にしないために、詳細に示されていない。
【００９４】
したがって、本発明の好ましい実施形態であると考えられるものが説明されてきたが、当業者であれば、本発明の趣旨から逸脱することなく、他のさらなる変更がそれになされてもよく、本発明の範囲内にあるすべてのそのような変化形態及び変更形態が特許請求されることが意図されるということを認識するであろう。ステップは、本発明の範囲内に記載される方法に追加または削除されてもよい。
【００９５】
本発明が特定の実施例を参照して説明されたが、当業者にとって当然のことながら、
本発明は、多くの他の形で具現化されてもよい。
【図１Ａ−１Ｂ】
2018507736.tif 000003
【図２】
2018507736.tif 000004
【図３Ａ−３Ｂ】
2018507736.tif 000005
【図３Ｃ】
2018507736.tif 000006
【図３Ｄ】
2018507736.tif 000007
【図４】
2018507736.tif 000008
【図５Ａ．５Ｄ】
2018507736.tif 000009
【図５Ｂ】
2018507736.tif 000010
【図５Ｃ】
2018507736.tif 000011
【図６Ａ】
2018507736.tif 000012
【図６Ｂ】
2018507736.tif 000013
【図６Ｃ】
2018507736.tif 000014
【図７Ａ】
2018507736.tif 000015
【図７Ｂ】
2018507736.tif 000016
【国際調査報告】
2018507736.tif 000017
2018507736.tif 000018
2018507736.tif 000019